(57)【要約】【課題】媒体のトラフィックの品質に基づいた広告システムおよび方法が開示される。【解決手段】広告の露出が可能な複数の媒体のうち、広告主の広告が露出される媒体が広告主によって選択される広告システムは、複数の媒体のうち広告主によって選択された媒体を介して露出された広告主の広告に対する広告費用を、選択された媒体の品質指標を反映して算出する広告費用算出部を備える。選択された媒体の品質指標は、選択された媒体に対する露出回数、クリック数、転換率、クリック率、および不正使用の発生回数のうち少なくとも１つに基づいて決定される。【選択図】図２
2012048719.tif 000002
【特許請求の範囲】
【請求項１】
広告の露出が可能な複数の媒体のうち、広告主の広告が露出される媒体が前記広告主によって選択される広告システムにおいて、
前記複数の媒体のうち、前記広告主によって選択された媒体を介して露出された前記広告主の広告に対する広告費用を、前記選択された媒体の品質指標を反映して算出する広告費用算出部を備えることを特徴とする広告システム。
【請求項２】
前記選択された媒体の品質指標は、前記選択された媒体に対する露出回数、クリック数、転換率、クリック率、および不正使用の発生回数のうち少なくとも１つに基づいて決定されることを特徴とする請求項１に記載の広告システム。
【請求項３】
前記複数の媒体のうち少なくとも１つの媒体を選択した広告主に対して、前記複数の媒体それぞれから前記媒体を選択した広告主の広告に対する露出順位が決定され、
前記複数の媒体のうち少なくとも２つの媒体に対する露出順位は、互いに異なる露出順位決定方法によってそれぞれ決定されることを特徴とする請求項１に記載の広告システム。
【請求項４】
前記広告費用算出部は、
前記広告主の広告に対する選択当たりの費用または露出当たりの費用に、前記選択された媒体の品質指標に対応する加重値を付与する加重値付与部と、
前記選択された媒体を介して露出された前記広告主の広告が、ユーザに選択された回数と加重値が付与された選択当たりの費用とに基づいて、または前記広告主の広告が前記選択された媒体を介して露出された回数と加重値が付与された露出当たりの費用とに基づいて、前記広告主の広告に対する前記広告費用を算出する算出部と、
を備えることを特徴とする請求項１に記載の広告システム。
【請求項５】
前記広告費用算出部は、前記選択された媒体を介して露出された前記広告主の広告が、ユーザに選択された回数と前記広告主の広告に対する選択当たりの費用との演算結果、または前記広告主の広告が前記選択された媒体を介して露出された回数と前記広告主の広告に対する露出当たりの費用との演算結果に前記選択された媒体の品質指標に対応する加重値を付与して、前記広告主の広告に対する前記広告費用を算出することを特徴とする請求項１に記載の広告システム。
【請求項６】
前記媒体はワールド  ワイド  ウェブ上で提供されるウェブサイト、前記ウェブサイトに含まれたウェブページ、ユーザの端末に設置されて動作するアプリケーションのうち少なくとも１つを含むことを特徴とする請求項１に記載の広告システム。
【請求項７】
前記広告の露出が可能な複数の媒体のうち、前記広告主の広告が露出される媒体が前記広告主によって選択される広告方法において、
前記複数の媒体それぞれの品質を定量化した値である品質指標のうち、前記広告主によって選択された媒体の品質指標を反映し、前記選択された媒体を介して露出された前記広告主の広告に対する広告費用を算出することを含むことを特徴とする広告方法。
【請求項８】
前記選択された媒体の品質指標は、前記選択された媒体に対する露出回数、クリック数、転換率、クリック率、および不正使用の発生回数のうち少なくとも１つに基づいて決定されることを特徴とする請求項７に記載の広告方法。
【請求項９】
前記複数の媒体のうち少なくとも１つの媒体を選択した広告主に対して、前記複数の媒体それぞれにから前記媒体を選択した広告主の広告に対する露出順位が決定され、
前記複数の媒体のうち少なくとも２つの媒体に対する露出順位は、互いに異なる露出順位決定方法によってそれぞれ決定されることを特徴とする請求項７に記載の広告方法。
【請求項１０】
前記広告費用を算出することは、
前記広告主の広告に対する選択当たりの費用または露出当たりの費用に、前記選択された媒体の品質指標に対応する加重値を付与し、
前記選択された媒体を介して露出された前記広告主の広告が、ユーザに選択された回数と前記加重値の付与された選択当たりの費用とに基づいて、または前記広告主の広告が選択された媒体を介して露出された回数と加重値が付与された露出当たりの費用とに基づいて、前記広告主の広告に対する広告費用を算出すること、
を含むことを特徴とする請求項７に記載の広告方法。
【請求項１１】
前記広告費用を算出することは、前記選択された媒体を介して露出された前記広告主の広告が、ユーザに選択された回数と前記広告主の広告に対する選択当たりの費用との演算結果、または前記広告主の広告が前記選択された媒体を介して露出された回数と前記広告主の広告に対する露出当たりの費用との演算結果に選択された媒体の品質指標に対応する加重値を付与して、前記広告主の広告に対する前記広告費用を算出することを特徴とする請求項７に記載の広告方法。
【請求項１２】
前記媒体は、ワールド  ワイド  ウェブ上で提供されるウェブサイト、ウェブサイトに含まれたウェブページ、ユーザの端末に設置されて動作するアプリケーションのうち少なくとも１つを含むことを特徴とする請求項７に記載の広告方法。
【請求項１３】
請求項７乃至１２のいずれか一の方法を行うプログラムを記録したコンピュータで読み出し可能な記録媒体。
【発明の詳細な説明】
【技術分野】
【０００１】
本発明は、広告が露出される媒体のトラフィックの品質に基づいた広告システムおよび方法に関する。
【背景技術】
【０００２】
従来技術の広告システムにおいて、広告露出順位およびクリック当りの費用（Ｃｏｓｔ  ｐｅｒ  Ｃｌｉｃｋ：ＣＰＣ）は広告主の１回だけの入札によって決定され、広告がいずれのウェブサイトを介して露出されるかとは無関係に同一の課金額が適用されてきた。
【発明の概要】
【発明が解決しようとする課題】
【０００３】
しかし、同じ広告に対してユーザの行為が同じであっても、広告主にとってのその行為の価値は広告が提供されるウェブサイトによって変わる。このように互いに異なる価値を有するユーザの行為について、その関連した広告の課金に違いを付けるための方法およびシステムの開発が要求される。
【課題を解決するための手段】
【０００４】
本発明の一実施形態によると、同じ広告であっても互いに異なる提供経路を介して露出される場合、その提供経路のトラフィックの品質に応じて互いに異なる広告費用を請求することのできる広告システムおよび広告方法が提供される。
【０００５】
いずれかの媒体を介して提供された広告に対する広告費用を、その媒体の品質指標を反映して算出する広告費用算出部を備える広告システムを提供してもよい。
【０００６】
媒体の品質指標は、その媒体に関連する露出回数、クリック数、転換率、クリック率、および不正使用の発生回数のうち少なくとも１つに基づいて決定されてもよい。
【０００７】
広告が露出される複数の媒体のうち、広告主によって選択された１つの媒体に関し、当該媒体を選択した広告主の広告のみを対象に露出順位を決定してもよい。また、広告が露出される媒体には互いに異なる露出順位決定基準を適用してもよい。
【０００８】
広告費用算出部は、広告が提供される媒体の品質指標をその広告に対する実行費用を算出するための加重値として考慮する加重値付与部を備えてもよい。また、広告費用算出部は、媒体の品質指標によって加重値が付与された広告主入札金額を、広告の実行に関する統計と共に考慮して広告それぞれに対する広告費用を算出する算出部を備えてもよい。
【０００９】
広告主入札金額は、その広告に対する選択当たりの費用、露出当たりの費用、および転換当たりの費用のうち少なくとも１つまたはその組合せの形態から入力されてもよい。広告の実行に関する統計は、その広告に対する選択統計、露出統計、および転換統計のうち少なくとも１つまたはその組合せの形態で用いられてもよい。
【００１０】
例えば、広告費用算出部は、選択された媒体を介して露出された広告主の広告がユーザに選択された回数と広告主の広告に対する選択当たりの費用との演算結果、または広告主の広告が選択された媒体を介して露出された回数と広告主の広告に対する露出当たりの費用との演算結果に対して、選択された媒体の品質指標に対応する加重値を付与して広告主の広告に対する広告費用を算出してもよい。
【００１１】
複数の媒体それぞれの品質を定量化した値である品質指標のうち、広告主によって選択された媒体の品質指標を反映し、選択された媒体を介して露出された広告主の広告に対する広告費用を算出することを含む広告方法を提供してもよい。
【００１２】
ウェブサイトだけではなく、ウェブサイトが含むウェブページやユーザの端末にインストールして動作するアプリケーションなどのように、広告の露出が可能な媒体に対しても、媒体を介して提供された広告に対する広告費用を、その媒体の品質指標を反映して算出する広告システムおよび広告方法を提供してもよい。
【発明の効果】
【００１３】
本発明よると、同じ広告であっても互いに異なる媒体（ウェブサイト、ウェブページ、およびアプリケーションなど）によって露出される場合、媒体のトラフィックの品質に応じて互いに異なる広告費用を請求することができる。
【図面の簡単な説明】
【００１４】
【図１】本発明の一実施形態に係るパブリッシャーごとに課金に違いを付けるためのシステムが実現された環境を例示する図である。
【図２】本発明の一実施形態に係る広告システムの内部構成を説明するためのブロック図である。
【図３】本発明の一実施形態に係る広告主がウェブサイトを選択する一例および選択されたウェブサイトごとに当該ウェブサイトを選択した広告主を示した一例である。
【図４】本発明の一実施形態に係るパブリッシャーごとの露出順位に基づく、広告主と入札価格、選択回数、品質指標、および課金額の一例を示した表である。
【図５】本発明の一実施形態に係る広告方法を示すフローチャートである。
【発明を実施するための形態】
【００１５】
以下、本発明の実施形態を添付する図面を参照しながら詳説する。
【００１６】
図１は、本発明の一実施形態に係るパブリッシャーごとに課金に違いを付けるためのシステムが実現された環境を例示する図である。図１は、広告主１１０、広告プラットフォーム１２０、パブリッシャー１３０、およびユーザ１４０を示す。ここで、広告主１１０およびユーザ１４０は、実質的に広告主１１０またはユーザ１４０が用いるパーソナルコンピュータ（ＰＣ）、スマートフォンなどの端末を意味する。すなわち、図１に示す矢印は、広告主１１０が用いる端末、広告プラットフォーム１２０、パブリッシャー１３０、およびユーザ１４０が用いる端末の間を有線又は無線ネットワークを用いてデータが送受信される可能性があることを意味する。
【００１７】
まず、広告プラットフォーム１２０は、広告主１１０の広告に対する入札、広告とキーワードとの間のマッチング、広告または広告主の整列、および広告の露出による課金などを行なってもよい。広告プラットフォーム１２０の一般的な技術的な事項に関して、インターネットによって送信される検索広告および／またはバナー広告プラットフォームに関する従来技術を参照して理解できる事項はその説明を省略する。
【００１８】
パブリッシャー１３０にはユーザ１４０からキーワードが入力され、キーワードに対する検索結果をユーザ１４０に提供してもよい。ここで、パブリッシャー１３０は、ユーザ１４０が入力したキーワードを広告プラットフォーム１２０に送信してもよく、広告プラットフォーム１２０からキーワードに対する広告が送信され、検索結果としてユーザ１４０に提供してもよい。
【００１９】
パブリッシャー１３０は、ユーザ１４０が広告を直接提供される経路（画面）を提供してもよく、一般的なオンライン環境において、広告はウェブサイトを介して提供されてもよい。本明細書において、「パブリッシャー」という用語は、「ウェブサイト」という用語に置換して用いてもよい。ただし、「ウェブサイト」という用語を用いる説明が、モバイル端末で実行されるアプリケーションの画面など、一般的なＰＣのウェブサイトの接続ではない環境において、本発明の実施可能性を排除することはない。
【００２０】
ここで、広告プラットフォーム１２０が含む複数の個別広告プラットフォーム（第１の広告プラットフォーム、第２の広告プラットフォーム、・・・）それぞれはパブリッシャー１３０が含む複数の個別のパブリッシャー（第１のパブリッシャー、第２のパブリッシャー、・・・）のうち、少なくとも１つの個別のパブリッシャーを介して広告を露出してもよい。
【００２１】
また、複数の個別のパブリッシャーそれぞれは、ユーザ１４０に少なくとも１つのウェブサイトを介して、上述した広告露出サービスを含む統合検索、キーワード検索、ブログサービスなどのように有線又は無線ネットワークによって提供可能な様々なサービスのうち、少なくとも１つを提供してもよい。
【００２２】
ここで、本発明の実施形態に係る個別の広告プラットフォームは、複数の個別のパブリッシャーのうち広告主１１０の広告を掲示しようとする個別のパブリッシャーを広告主１１０が直接選択するようにしてもよい。このようなパブリッシャーの選択は、広告の入札過程において広告主が広告提供パブリッシャーを直接選択したり、広告プラットフォームによる広告のために広告提供パブリッシャーの選択基準を提示したりすることによって行われてもよい。
【００２３】
また、広告プラットフォームは、関連する個別のパブリッシャーそれぞれに関連する品質指標を用いて、同じ広告主１１０の同じ広告に対して、また同じキーワードに対しても互いに異なる金額を課金してもよい。例えば、広告主１１０の同じ広告が同じキーワードに応じて第１のパブリッシャーおよび第２のパブリッシャーを介して露出され、第１のパブリッシャーおよび第２のパブリッシャーの品質指標が互いに異なる場合、個別の広告プラットフォームは、広告主１１０の広告露出に対して互いに異なる金額を課金してもよい。
【００２４】
品質指標は、様々な形態で評価され、測定されてもよい。場合に応じて、１つのパブリッシャーに１つの品質指標のみが測定されてもよい。他の実施形態において、１つのパブリッシャーを対象に、広告、キーワード、広告主、広告時期などが追加的に考慮され、様々な品質指標が測定されてもよい。
【００２５】
図２は、本発明の一実施形態に係る広告システムの内部構成を説明するためのブロック図である。本実施形態に係る広告システム２００は、図２に示すように広告主情報提供部２１０、露出順位決定部２２０、広告および露出順位情報提供部２３０、情報収集部２４０、および広告費用算出部２５０を備えてもよい。ここで、広告システム２００は、図１を参照して説明した個別の広告プラットフォームに含まれてもよい。
【００２６】
ここで、広告システム２００は広告費用算出部２５０を必須として備えるが、広告主情報提供部２１０、露出順位決定部２２０、広告および露出順位情報提供部２３０、および情報収集部２４０のうち少なくとも１つは、広告システム２００に代えて、広告システム２００に関連する他のシステムに備えられてもよい。
【００２７】
例えば、広告システム２００とは別のシステムが広告販売および入札機能を行って、その広告販売および入札に関する情報を広告システム２００が用いる環境を実現してもよい。このような環境において、露出順位決定部２２０は、その別のシステムから各ウェブサイトにおける広告露出順位を決定するために必要な情報を収集してもよい。このような必要情報は、当該ウェブサイトを選択した広告主情報、その広告主が入札に参加したキーワード情報、当該キーワードに対する広告主の入札価格情報、過去の広告実行実績情報などを含んでもよい。これは、広告主情報提供部２１０、広告および露出順位情報提供部２３０、および情報収集部２４０についても同様に適用されてもよい。
【００２８】
広告主情報提供部２１０は、複数のウェブサイトのうち少なくとも１つのウェブサイトを選択した広告主に関する情報を提供する。また、広告主情報提供部２１０は、広告主にキーワードおよびパブリッシャーを選択した他の広告主に関する情報を提供してもよい。この場合、広告主は、提供された他の広告主に関する情報を用いて、広告主自身の入札価格のような入札条件を決定してもよい。広告主は、このような他の広告主に関する情報によって、自身が選択したウェブサイトで同じキーワードに対する広告露出に関して、自身と競合している広告主を確認してもよい。
【００２９】
ここで言及された複数のウェブサイトは、それぞれ少なくとも１つの広告を露出するウェブサイトを意味する。本明細書において「ウェブサイト」とは、広告の露出が可能であり、有線又は無線ネットワークによってユーザに提供可能なすべての種類のウェブサイトを含んでもよく、ウェブサイトを構成する１つのウェブページを含んでもよい。このような意味で「ウェブサイト」という用語は、「パブリッシングサイト」または「パブリッシャー」という用語と道義的に用いてもよい。言い換えれば、それぞれのウェブサイトは、図１を参照して説明した個別のパブリッシャーに対応してもよい。
【００３０】
広告の露出は、ウェブサイト（パブリッシャー）によって、その広告主に関連するテキスト、イメージ、音声、動画、ハイパーリンクなどの宣伝コンテンツが当該ウェブサイトの訪問者に提供されることを含むように解釈されてもよい。
【００３１】
露出された広告に対する選択は、ユーザ（ウェブサイト訪問者）が提供されたテキスト、イメージなどの宣伝コンテンツに対して、マウスクリックなどの反応を示すことによって、広告主が宣伝コンテンツの伝達によって達成したい状況が発生することを意味する。ここで、広告主が誘導した状況は、一例として、広告主に関連するページを、広告を選択したユーザに露出することを含んでもよい。
【００３２】
露出順位決定部２２０は、複数のウェブサイトのうち、複数の広告主によってそれぞれ選択されたウェブサイトを介して露出される複数の広告主の広告に対する露出順位を決定する。
【００３３】
広告露出順位が決定される広告の広告主は、複数のウェブサイトのうち、同じウェブサイトを広告露出媒体として選択した広告主を意味する。言い換えれば、広告主は、複数のウェブサイトのうち所望する少なくとも１つのウェブサイトを選択してもよく、露出順位決定部２２０は、同じウェブサイトを選択した広告主の広告に対して当該ウェブサイトにおける露出順位を決定してもよい。
【００３４】
このように、広告主は自身の広告が露出されるウェブサイトを選択（予め設定された露出サイト選択に対する同意を含む）してもよい。これによって、同じ検索キーワードに関する広告であっても、ウェブサイトに応じて露出される広告が変ってもよい。また、同じキーワードに対する検索および／またはマッチング結果として所定の広告が露出される順位は、その広告が露出されるウェブサイトに応じて変ってもよい。
【００３５】
広告露出順位を決定するために、露出順位決定部１００は既知の広告整列方法の１つ、またはその組合せを用いてもよい。一例として、広告の選択または露出によって支払う費用に関する情報を広告主から入札価格として入力され、その入力された入札価格に基づいて広告の露出順位を決定してもよい。入札価格その他にも、当該広告の過去の実行実績、広告主の信頼度、広告対象キーワード、広告と共に露出されるコンテンツとの関連性、広告主が提示した最高順位及び最低順位などの様々な要素を、露出順位を設定するために追加的に考慮してもよい。
【００３６】
広告主は、自身の広告が露出されることを所望するウェブサイトそれぞれに対して入札価格を別に設定してもよく、そのために広告主は、ウェブサイトに対する入札価格をそれぞれ入力したり、基準入札価格を入力したりしてウェブサイト別の加重値を付与してもよい。
【００３７】
広告を露出するウェブサイトに、互いに異なる露出順位決定方法を適用してもよい。例えば、広告システム２００は、１つのウェブサイトに対して露出当たりの費用を入札価格として用いた入札によって広告の露出順位を決定し、他のウェブサイトに対してはクリック当りの費用を入札価格として用いた入札によって広告の露出順位を決定してもよい。また他のウェブサイトについては、広告の品質を定量化して広告の品質指数を測定し、測定された品質指数を加重値として入札価格に反映して露出順位の決定に用いてもよい。ここで、「入札」とは、広告主の入札によって露出するための広告を選択する方式を意味する。
【００３８】
広告および露出順位情報提供部２３０は、複数のウェブサイトそれぞれを運用するパブリッシャーそれぞれに、当該する広告および露出順位に関する情報を提供する。すなわち、各パブリッシャーは、ユーザが入力したキーワードに対して対応する露出順位に広告に関する情報を提供してもよい。
【００３９】
情報収集部２４０は、広告が提供されたウェブサイト訪問者（ユーザ）からの反応情報または転換情報を収集する。例えば、情報収集部２４０は、ウェブサイトごとに、広告それぞれの露出回数、選択回数、選択による製品購買の有無、会員加入の有無、ニュースレター購読の有無などのように、広告の露出と露出による訪問者の行為に関する情報を収集してもよい。このような情報は、広告を露出する個別のウェブサイトから直接収集してもよく、広告に含まれたリンクをクリックする行為が広告プラットフォームの特定の行為を誘発するようにして収集してもよい。
【００４０】
広告費用算出部２５０は、複数のウェブサイトのうち、広告主によって選択されたウェブサイトを介して露出された広告主の広告に対する広告費用を、選択されたウェブサイトの品質指標を反映して算出する。広告費用算出部１２０は、このような広告費用算出のために広告の露出されたウェブサイトに関連する品質指標を考慮してもよい。このような品質指標は、広告を露出するパブリッシャーそれぞれに対して算出されてもよく、「パブリッシャーの品質指標」と称してもよい。
【００４１】
品質指標を広告課金算出の過程における加重値を考慮することにおいて、具体的な反映の程度は広告プラットフォーム運用者の政策的な決定によって変わってもよい。また、広告主の要求に応じて、その加重値付与方法が変わってもよい。
【００４２】
これによって、広告主は、特定のパブリッシャーに対しては、品質指標の加重値を排除することを要求してもよく、他のパブリッシャーに対しては品質指標の加重値の適用方式および程度を決定してもよい。
【００４３】
上述したように、複数の広告主の広告は、複数の広告主によって選択されたウェブサイトを介して露出順位決定部２２０で決定された露出順位に応じて露出してもよい。広告の露出および露出による訪問者の行為に関する情報は、情報収集部２４０により収集してもよく、この場合、広告システム２００は、広告費用算出部２５０により露出された広告の広告費用を算出してもよい。ここで、広告費用を算出するために、広告費用算出部２５０はウェブサイトそれぞれの品質指標を用いて反映し、広告費用を算出するために同じ広告主に関する同じ広告であっても、どのウェブサイトに露出されるかに応じて広告費用が変わってもよい。
【００４４】
ここで、ウェブサイトに関連する品質指標は、選択されたウェブサイトに関連する広告の露出回数、クリック数、転換率（ｃｏｎｖｅｒｓｉｏｎ  ｒａｔｅ）、クリック率（Ｃｌｉｃｋ−Ｔｈｒｏｕｇｈ  Ｒａｔｅ：ＣＴＲ）、および不正使用の発生回数のうち少なくとも１つに基づいて決定されてもよい。ここで、転換率とは、訪問者数全体及び訪問者全体のうち、広告主が誘導した行為を行った訪問者数の比率を意味する。例えば、特定の広告をクリックして広告主に関連するページを訪問した訪問者のうち、何パーセントの訪問者が広告に関連する商品を購入したかを表す購買転換率が、選択されたウェブサイトの品質指標を決定するために用いられてもよい。また、不正使用は、ウェブサイトの露出回数や広告のクリック数などを故意に変更するための行為を意味する。このような不正使用の発生回数が高いほどウェブサイトの品質が低くなり、当該ウェブサイトの品質指標が低くなる。
【００４５】
また、品質指標は、パブリッシャーの特徴に応じて予め設定されたテーブルを用いて決定したり、広告主や広告システム２００の運用者または訪問者がパブリッシャーに対して入力した指標を用いて決定したりしてもよい。ここで、パブリッシャーの特徴を用いる場合、各ウェブサイトを商取引サイトや情報サイトのように様々な分類に応じて予め品質指標を決定する場合である。それだけではなく、品質指標を決定するために、上述した３種類の方法のうち２つ以上の方法を一緒に用いてもよい。例えば、露出回数、クリック数、転換率、クリック率、および不正使用の発生回数のうち少なくとも１つに基づいて決定された品質指標に、パブリッシャーの特徴に応じて決定された品質指標を加重値に付与して、最終的にウェブサイトの品質指標を決定してもよい。
【００４６】
ここで、一実施形態において、広告費用算出部２５０は、品質指標を反映して広告費用を算出するため広告主の広告に対する選択当たりの費用または露出当たりの費用に選択されたウェブサイトの品質指標に対応する加重値を付与する加重値付与部（図示せず）、および選択されたウェブサイトを介して露出された広告主の広告がユーザに選択された回数と加重値の付与された選択当たりの費用とに基づいて、または広告主の広告が選択されたウェブサイトを介して露出された回数と加重値の付与された露出当たりの費用とに基づいて、広告主の広告に対する広告費用を算出する算出部（図示せず）を備えてもよい。すなわち、選択されたウェブサイトを訪問したユーザに広告の露出された回数やユーザが広告を選択した回数に応じて広告費用を決定する場合、広告費用算出部２５０は、上述したように、広告主が入札価格に入力した露出当たりの費用や選択当たりの費用に品質指標に対応する加重値を付与し、加重値の付与された露出当たりの費用や選択当たりの費用と、広告が露出または選択された回数との演算によって広告費用を算出してもよい。
【００４７】
ここで、他の実施形態として、広告費用算出部２５０は、選択されたウェブサイトを介して露出された広告主の広告がユーザに選択された回数と広告主の広告に対する選択当たりの費用との演算結果、または広告主の広告が選択されたウェブサイトを介して露出された回数と広告主の広告に対する露出当たりの費用との演算結果として選択されたウェブサイトの品質指標に対応する加重値を付与して広告主の広告に対する広告費用を算出してもよい。
【００４８】
各実施形態において、演算および加重値の付与は、単なる四則演算のみならず平方根などのように必要に応じて選択されたすべての種類の演算によって行われてもよい。また、上述した実施形態は、広告の選択当たりの費用、露出当たりの費用などに加重値として品質指標を考慮することについて説明しているが、広告の実行による費用算出に品質指標を反映する演算が既に例示された事項に限定されるものではなく、品質指標の反映方式は必要に応じて変更されてもよい。
【００４９】
このように、ウェブサイトのトラフィックの品質に応じて当該ウェブサイトを選択した広告主だけの入札によってウェブサイトごとの独立した入札が可能になり、同じ広告でも互いに異なるウェブサイトに露出される場合、ウェブサイトのトラフィックの品質に応じて互いに異なる広告費用を請求することが可能である。
【００５０】
一方、ウェブサイトトラフィックの品質指標を広告課金の算出過程に考慮する過程は、広告主が各パブリッシャー（ウェブサイト）ごとに独立した入札金額が入力されるか否かを前提としない。
【００５１】
図３は、本発明の一実施形態に係る広告主がウェブサイトを選択する一例および選択されたウェブサイトごとに当該ウェブサイトを選択した広告主を示した一例である。まず、３１０を付した図を参照すると、第１の広告主〜第７の広告主の７名の広告主それぞれが第１のウェブサイト〜第３のウェブサイトのうち少なくとも１つのウェブサイトを選択する一例を示す。すなわち、第１、２、４、６、７の広告主は１つのウェブサイトを、第５の広告主は２つのウェブサイトを、第３の広告主は３つのウェブサイトをそれぞれ選択していることが分かる。ここで、表３２０を参照すると、第１のウェブサイトは、第３、５、７の広告主によって、第２のウェブサイトは第１、３、６の広告主によって、第３のウェブサイトは第２、３、４、５の広告主によってそれぞれ選択されていることが分かる。すなわち、一例として、第３のウェブサイトには第２、３、４、５の広告主の広告が露出されてもよい。そのために本実施形態に係る広告システムは、第２、３、４、５の広告主の広告の間の露出順位を決定してもよく、当該広告の露出または広告の選択による広告費用を算出してもよい。
【００５２】
図４は、本発明の一実施形態に係るパブリッシャーごとに、露出順位による広告主と入札価格、選択回数、品質指標、および課金額の一例を示した表である。すなわち、表４００は、図３に示す第１のウェブサイト〜第３のウェブサイトそれぞれに対して広告主の露出順位を示している。
【００５３】
また、表４００は同じキーワードに対する露出順位を示している。ここで、第１の点線ボックス４１０および第２の点線ボックス４２０には、同じ広告主の第５の広告主が、第１のウェブサイトおよび第３のウェブサイトに同じ入札価格（選択当りの費用）に入札した状態を示している。しかし、表４００は、本発明の実施形態によると、同じ入札価格７００と同じ選択回数１００に対してもウェブサイト（パブリッシャー）の品質指標に応じて課金額が変わり得ることを示している。すなわち、第５の広告主は、第１のウェブサイトおよび第３のウェブサイトに同じ入札価格７００に入札し、同じ選択回数１００が発生した。しかし、第５の広告主に対して第１のウェブサイトの課金額は「６６，５００」であり、第３のウェブサイトの課金額は「８０，５００」のように決定されたことが分かる。このように、ウェブサイトのトラフィックの品質に応じて、当該ウェブサイトを選択した広告主だけの入札によってウェブサイトごとの独立した入札が可能になり、同じ広告でも互いに異なるウェブサイトに露出される場合、ウェブサイトのトラフィックの品質に応じて互いに異なる広告費用を請求することが可能になる。
【００５４】
ここで、図４では選択当たりの費用を用いた一例を説明したが、選択当たりの費用の代わりに露出当たりの費用を入札価格として用いる場合にも同様に適用してもよい。それだけではなく、入札価格を直ちに用いることなく、様々な加重値を付与して露出順位を決定してもよい。例えば、広告の品質を定量化して広告の品質指数を測定し、これを加重値として入札価格に付与した後、加重値の付与された入札価格に基づいて露出順位を決定してもよい。このような入札価格は課金額の算定にも等しく用いられてもよい。
【００５５】
図５は、本発明の一実施形態に係る広告方法を示すフローチャートである。本実施形態に係る広告方法は、図１を参照して説明した個別の広告プラットフォームまたは図２を参照して説明した広告システム２００によって行われてもよい。図５では、１つの広告プラットフォームによって各ステップが行われる過程の説明により広告方法を詳説する。
【００５６】
ステップＳ５１０において、１つの広告プラットフォームは、複数のウェブサイトそれぞれを選択した広告主に関する情報を提供する。すなわち、１つの広告プラットフォームは、複数のウェブサイトのうち少なくとも１つのウェブサイトを選択した広告主に関する情報を提供してもよい。また、１つの広告プラットフォームは、広告主にキーワードおよびパブリッシャーを選択した他の広告主に関する情報を提供してもよい。この場合、広告主は、提供された他の広告主に関する情報を用いて広告主自身の入札価格のような入札条件を決定してもよい。広告主はこのような他の広告主に関する情報によって、自身が選択したウェブサイトで同じキーワードに対する広告露出に関して自身と競合している広告主を確認してもよい。
【００５７】
ステップＳ５２０において、１つの広告プラットフォームは、複数のウェブサイトのうち複数の広告主によってそれぞれ選択されたウェブサイトを介して露出される複数の広告主の広告に対する露出順位を決定する。
【００５８】
広告露出順位が決定される広告の広告主は、複数のウェブサイトのうち、同じウェブサイトを広告露出媒体として選択した広告主を意味する。言い換えれば、広告主は、複数のウェブサイトのうち所望する少なくとも１つのウェブサイトを選択してもよく、１つの広告プラットフォームは同じウェブサイトを選択した広告主の広告に対して当該ウェブサイトにおける露出順位を決定してもよい。
【００５９】
このように、広告主は、自身の広告が露出されるウェブサイトを選択（予め設定された露出ウェブサイトの選択に対する同意を含む）してもよく、これによって、同じ検索キーワードに関する広告であっても、ウェブサイトによって露出される広告が変ってもよい。また、同じキーワードに対する検索および／またはマッチング結果として、所定の広告が露出される順位についてもその広告が露出されるウェブサイトによって変ってもよい。
【００６０】
広告露出順位決定のために１つの広告プラットフォームは、既知の広告整列方法のうちの１つまたはその組合せを用いてもよい。一例として、広告の選択または露出によって支払う費用に関する情報が広告主から入札価格に入力され、その入力された入札価格に基づいて広告の露出順位を決定してもよい。入札価格以外にも当該広告の過去の実行実績、広告主の信頼度などの様々な要素が露出順位の設定のために追加的に考慮してもよい。
【００６１】
広告主は自身の広告が露出されることを所望するウェブサイトそれぞれに対して入札価格を個別に設定してもよく、そのために広告主はウェブサイトに対する入札価格をそれぞれ入力したり、基準入札価格を入力したりしてウェブサイト別の加重値を付与してもよい。
【００６２】
広告を露出するウェブサイトに互いに異なる露出順位決定方法が適用されてもよい。例えば、１つの広告プラットフォームは、１つのウェブサイトに対して露出当たりの費用を入札価格として用いた入札によって広告の露出順位を決定し、他のウェブサイトに対してはクリック当りの費用を入札価格として用いた入札によって広告の露出順位を決定してもよい。他のウェブサイトに対しては、広告の品質を定量化して広告の品質指数を測定し、測定された品質指数を加重値として入札価格に反映して露出順位の決定に用いてもよい。ここで、入札とは、広告主の入札によって露出するための広告を選択する方式を意味する。
【００６３】
ステップＳ５３０において、１つの広告プラットフォームは、複数のウェブサイトそれぞれを運用するパブリッシャーそれぞれに該当する広告および露出順位に関する情報を提供する。すなわち、各パブリッシャーは、ユーザが入力したキーワードに対して該当する露出順位に広告に関する情報を提供してもよい。
【００６４】
ステップＳ５４０において、１つの広告プラットフォームは、複数のウェブサイトそれぞれから訪問者の反応情報または転換情報を収集する。例えば、１つの広告プラットフォームのウェブサイトごとに、広告それぞれの露出回数、選択回数、選択による製品購買の有無、会員加入の有無、ニュースレター購読の有無などのように広告の露出と露出による訪問者の行為に関する情報を収集してもよい。
【００６５】
ステップＳ５５０において、１つの広告プラットフォームは、複数のウェブサイトのうち広告主によって選択されたウェブサイトを介して露出された広告主の広告に対する広告費用を、選択されたウェブサイトの品質指標を反映して算出する。１つの広告プラットフォームは、このような広告費用算出のために広告が露出されたウェブサイトに関連する品質指標を考慮してもよい。このような品質指標は、広告を露出するパブリッシャーそれぞれに対して算出されてもよく、「パブリッシャーの品質指標」と称してもよい。
【００６６】
上述したように、複数の広告主の広告は、複数の広告主によって選択されたウェブサイトを介してステップＳ５２０で決定された露出順位に露出されてもよい。広告の露出および露出による訪問者の行為に関する情報は、ステップＳ５４０で収集してもよく、この場合１つの広告プラットフォームはステップＳ５５０で露出された広告の広告費用を算出してもよい。ここで、広告費用を算出するために、１つの広告プラットフォームは、ウェブサイトそれぞれの品質指標を用いて反映して、広告費用を算出するために同じ広告主に関する同じ広告であっても、どのウェブサイトに露出されるかに応じて広告費用が変わってもよい。
【００６７】
ここで、ウェブサイトに関連する品質指標は、選択されたウェブサイトに関連する広告の露出回数、クリック数、転換率、クリック率、および不正使用の発生回数のうち少なくとも１つに基づいて決定されてもよい。ここで、転換率とは、訪問者数全体および訪問者全体のうち、広告主が誘導した行為を行った訪問者数の比率を意味する。例えば、特定の広告をクリックして広告主に関連するページを訪問した訪問者のうち何パーセントの訪問者が広告に関連する商品を購入したかを表す購買転換率が選択されたウェブサイトの品質指標を決定するために用いてもよい。また、不正使用は、ウェブサイトの露出回数や広告のクリック数などを故意に変更するための行為を意味する。このような不正使用の発生回数が高いほどウェブサイトの品質が低くなり、当該ウェブサイトの品質指標が低くなる。
【００６８】
また、品質指標は、パブリッシャーの特徴に応じて予め設定されたテーブルを用いて決定したり、広告主や１つの広告プラットフォームの運用者または訪問者がパブリッシャーに対して入力した指標を用いて決定したりしてもよい。ここで、パブリッシャーの特徴を用いる場合は、各ウェブサイトを商取引サイトや情報サイトと共に様々な分類に応じて予め品質指標を決定する場合である。それだけではなく、品質指標の決定のために上述した３種類の方法のうち２つ以上の方法を一緒に用いてもよい。例えば、露出回数、クリック数、転換率、クリック率、および不正使用の発生回数のうち少なくとも１つに基づいて決定された品質指標に、パブリッシャーの特徴に応じて決定された品質指標を加重値に付与して、最終的にウェブサイトの品質指標を決定してもよい。
【００６９】
ここで、一実施形態において、１つの広告プラットフォームは、品質指標を反映して広告費用を算出するために、広告主の広告に対する選択当たりの費用または露出当たりの費用に、選択されたウェブサイトの品質指標に対応する加重値を付与し、選択されたウェブサイトを介して露出された広告主の広告がユーザに選択された回数と加重値の付与された選択当たりの費用とに基づいて、または広告主の広告が選択されたウェブサイトを介して露出された回数と加重値の付与された露出当たりの費用とに基づいて、広告主の広告に対する広告費用を算出してもよい。すなわち、選択されたウェブサイトを訪問したユーザに広告の露出された回数やユーザが広告を選択した回数に応じて広告費用を決定する場合、１つの広告プラットフォームは、上述したように広告主が入札価格として入力した露出当たりの費用や選択当たりの費用に品質指標に対応する加重値を付与し、加重値の付与された露出当たりの費用や選択当たりの費用と広告が露出または選択された回数との演算によって広告費用を算出してもよい。
【００７０】
ここで、他の実施形態において、１つの広告プラットフォームは、選択されたウェブサイトを介して露出された広告主の広告がユーザに選択された回数と広告主の広告に対する選択当たりの費用との演算結果、または広告主の広告が選択されたウェブサイトを介して露出された回数と広告主の広告に対する露出当たりの費用との演算結果に、選択されたウェブサイトの品質指標に対応する加重値を付与して広告主の広告に対する広告費用を算出してもよい。
【００７１】
各実施形態で演算および加重値の付与は単なる四則演算だけではなく、平方根などのように必要に応じて選択されたすべての種類の演算によって行われてもよい。また、上述した実施形態は、広告の選択当たりの費用、露出当たりの費用などに加重値として品質指標を考慮することを説明しているが、広告の実行による費用算出に品質指標を反映する演算が既に例示された事項に限定されるものではなく、品質指標の反映方式は必要に応じて変更されてもよい。
【００７２】
本発明の一実施形態に係る広告システムは、図５に示されたステップＳ５１０〜ステップＳ５５０のうちステップＳ５５０を必須で行なう。残りのステップＳ５１０〜ステップＳ５４０は広告システムによって行なわれてもよいが、必要に応じて広告システムに関連する異なるシステムによって行なわれてもよい。例えば、広告システムとは、別のシステムが広告販売、入札機能を行って、その広告販売、入札に関する情報を広告システムに提供してもよい。このような環境において、広告システムは、その別のシステムから各ウェブサイトにおける広告露出順位の決定に必要な情報を収集してもよい。このような必要情報は、当該ウェブサイトを選択した広告主情報、その広告主が入札に参加したキーワード情報、当該キーワードに対する広告主の入札価格情報、過去の広告実行実績情報などを含んでもよい。これは、広告主情報を提供するステップＳ５１０、広告および露出順位に関する情報を提供するステップＳ５３０、および訪問者に関連する情報を収集するステップＳ５４０に対しても同様に適用されてもよい。
【００７３】
以上では広告が露出されるウェブサイトを基準にして、広告が露出されるために用いられるウェブサイトごとの品質指標に応じて広告費用が決定される可能性があることを説明した。しかし、ウェブサイトだけではなく、ウェブサイトに含まれたウェブページごとに、またはユーザの端末にインストールされて動作するアプリケーションなどのように広告の露出が可能なすべての媒体についても、媒体別の品質指標に応じて広告費用が決定されてもよい。すなわち、上述した図１〜図５の内容は、広告が露出可能なすべての媒体に対して同様に適用可能である。例えば、広告主が選択するモバイルアプリケーションによって広告主の広告が露出され、当該広告の広告費用が選択されたモバイルアプリケーションの品質指標に応じて決定されてもよい。
【００７４】
このように、ウェブサイトのトラフィックの品質に応じて当該ウェブサイトを選択した広告主だけの入札によってウェブサイトごとの独立した入札が可能になり、同じ広告であっても互いに異なるウェブサイトに露出される場合、ウェブサイトのトラフィックの品質に応じて互いに異なる広告費用を請求することが可能になる。また、同じ広告であっても互いに異なる媒体（ウェブサイト、ウェブページ、およびアプリケーションなど）によって露出される場合、媒体のトラフィックの品質に応じて互いに異なる広告費用を請求してもよい。
【００７５】
本発明の実施形態に係る方法は、多様なコンピュータ手段を介して様々な処理を実行することができるプログラム命令の形態で実現され、コンピュータ読取可能な記録媒体に記録されてもよい。コンピュータ読取可能な媒体は、プログラム命令、データファイル、データ構造などのうちの１つまたはその組合せを含んでもよい。媒体に記録されるプログラム命令は、本発明の目的のために特別に設計されて構成されたものでもよく、コンピュータソフトウェア分野の技術を有する当業者にとって公知のものであり、使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を保存して実行するように特別に構成されたハードウェア装置が含まれてもよい。プログラム命令の例としては、コンパイラによって生成されるような機械語コード（ｍａｃｈｉｎｅ  ｃｏｄｅ）だけでなく、インタプリタなどを用いてコンピュータによって実行され得る高級言語コード（ｈｉｇｈｅｒ  ｌｅｖｅｌ  ｃｏｄｅ）を含む。上述したハードウェア装置は、本発明の動作を行うために１つ以上のソフトウェアのレイヤで動作するように構成されてもよい。
【００７６】
上述したように、本発明を限定された実施形態と図面によって説明したが、本発明は、上記の実施形態に限定されることなく、本発明が属する分野における通常の知識を有する者であれば、このような実施形態から多様な修正及び変形が可能である。
【００７７】
したがって、本発明の範囲は、開示された実施形態に限定されるものではなく、特許請求の範囲だけではなく特許請求の範囲と均等なものなどによって定められるものである。
【符号の説明】
【００７８】
１１０      広告主
１２０      広告プラットフォーム
１３０      パブリッシャー
１４０      ユーザ
【図１】
2012048719.tif 000003
【図２】
2012048719.tif 000004
【図３】
2012048719.tif 000005
【図４】
2012048719.tif 000006
【図５】
2012048719.tif 000007